(57)【要約】  本発明に係るワイマックス信号に対する超広帯域信号の干渉回避方法は、所定のデータビットをトーンマッピングして超広帯域信号を生成するステップと、超広帯域信号のマッピングされたトーンのうち、ヌルトーンを含む第１帯域がワイマックス信号と干渉が発生する第２帯域にシフトされるように制御するステップとを含むことを特徴とする。【選択図】図１
2010504021.tif 000002
【特許請求の範囲】
【請求項１】
ワイマックス（ＷｉＭａｘ）信号に対する超広帯域信号の干渉回避方法であって、
所定のデータビットをトーンマッピングして超広帯域信号を生成するステップと、
前記超広帯域信号の前記マッピングされたトーンのうち、ヌルトーンを含む第１帯域が前記ワイマックス信号と干渉が発生する第２帯域にシフトされるように制御するステップと、
を有することを特徴とする超広帯域信号の干渉回避方法。
【請求項２】
前記所定のデータビットは、ワイメディア（ＷｉＭｅｄｉａ）超広帯域規約に従ってトーンマッピングされ、
前記第１帯域は、前記ワイメディア超広帯域規約に従ってマッピングされた１２８個のトーンのうちの６２番トーン〜６６番トーンを含み、該６２番トーン〜６６番トーンはヌルトーンであることを特徴とする請求項１に記載の超広帯域信号の干渉回避方法。
【請求項３】
前記第２帯域は、前記ワイメディア超広帯域規約に従ってマッピングされた１２８個のトーンのうちの８７番トーン〜９１番トーンを含むことを特徴とする請求項２に記載の超広帯域信号の干渉回避方法。
【請求項４】
前記第１帯域が前記ワイマックス信号と干渉が発生する第２帯域にシフトされるように制御する前記ステップは、
前記超広帯域信号に所定の指数関数信号を掛けるステップ
を含むことを特徴とする請求項１に記載の超広帯域信号の干渉回避方法。
【請求項５】
前記所定の指数関数信号は、
2010504021.tif 000010
であり、ここでｍは２５であることを特徴とする請求項４に記載の超広帯域信号の干渉回避方法。
【請求項６】
前記超広帯域信号の前記マッピングされたトーンのうち、ガードバンドに含まれる１つ以上のトーンを調整するステップ
を更に有することを特徴とする請求項１に記載の超広帯域信号の干渉回避方法。
【請求項７】
前記ガードバンドは、前記超広帯域信号の前記マッピングされた１２８個のトーンのうちの５７番トーン〜６１番トーンを含む第１ガードバンド及び６７番トーン〜７１番トーンを含む第２ガードバンドを含み、
前記ガードバンドに含まれる１つ以上のトーンを調整する前記ステップは、
前記第１ガードバンドのトーンのうちの前記５７番トーン、前記５９番トーン、及び前記６１番トーンの符号をインバースさせるステップと、
前記第２ガードバンドのトーンのうちの前記６７番トーン、前記６９番トーン、及び前記７１番トーンの符号をインバースさせるステップと、
を含むことを特徴とする請求項６に記載の超広帯域信号の干渉回避方法。
【請求項８】
前記ガードバンドは、前記超広帯域信号の前記マッピングされた１２８個のトーンのうちの５７番トーン〜６１番トーンを含む第１ガードバンド及び６７番トーン〜７１番トーンを含む第２ガードバンドを含み、
前記ガードバンドに含まれる１つ以上のトーンを調整する前記ステップは、
前記第１ガードバンド及び前記第２ガードバンドに含まれる前記１つ以上のトーンをヌルトーンに変更するステップ
を含むことを特徴とする請求項６に記載の超広帯域信号の干渉回避方法。
【請求項９】
前記超広帯域信号の前記マッピングされたトーンのうち、前記シフトによってＤＣタームとなるトーンをヌルトーンに変更するステップ
を更に有することを特徴とする請求項１に記載の超広帯域信号の干渉回避方法。
【請求項１０】
前記超広帯域信号の前記マッピングされたトーンのうち、ＤＣタームは０番トーンであり、前記シフトによって前記ＤＣタームとなる前記トーンは２５番トーンであることを特徴とする請求項９に記載の超広帯域信号の干渉回避方法。
【請求項１１】
ワイマックス（ＷｉＭａｘ）信号に対する超広帯域信号の干渉回避方法であって、
所定のデータビットをトーンマッピングして超広帯域信号を生成するステップと、
前記超広帯域信号の前記マッピングされたトーンのうち、ガードバンドに含まれる１つ以上のトーンの符号をインバースさせるか、又は前記１つ以上のトーンをヌルトーンに変更するステップと、
前記超広帯域信号の前記マッピングされたトーンのうち、ヌルトーンを含む第１帯域が前記ワイマックス信号と干渉が発生する第２帯域にシフトされるように制御するステップと、
を有することを特徴とする超広帯域信号の干渉回避方法。
【請求項１２】
前記第１帯域が前記ワイマックス信号と干渉が発生する第２帯域にシフトされるように制御する前記ステップは、
前記超広帯域信号に所定の指数関数信号を掛けるステップ
を含み、
前記所定の指数関数信号は、
2010504021.tif 000011
であり、ここでｍは２５であることを特徴とする請求項１１に記載の超広帯域信号の干渉回避方法。
【請求項１３】
前記超広帯域信号の前記マッピングされたトーンのうち、前記シフトによってＤＣタームとなるトーンをヌルトーンに変更するステップ
を更に有することを特徴とする請求項１１に記載の超広帯域信号の干渉回避方法。
【請求項１４】
ワイマックス（ＷｉＭａｘ）信号に対する超広帯域信号の干渉回避方法であって、
所定のデータビットをトーンマッピングして超広帯域信号を生成するステップと、
前記超広帯域信号の前記マッピングされたトーンのうち、ヌルトーンを含む第１帯域が前記ワイマックス信号と干渉が発生する第２帯域にシフトされるように制御するステップと、
前記超広帯域信号の前記マッピングされたトーンのうち、前記シフトによってＤＣタームとなるトーンをヌルトーンに変更するステップと、
を有することを特徴とする超広帯域信号の干渉回避方法。
【請求項１５】
前記第１帯域が前記ワイマックス信号と干渉が発生する第２帯域にシフトされるように制御する前記ステップは、
前記超広帯域信号に所定の指数関数信号を掛けるステップ
を含み、
前記所定の指数関数信号は、
2010504021.tif 000012
であり、ここでｍは２５であることを特徴とする請求項１４に記載の超広帯域信号の干渉回避方法。
【請求項１６】
前記超広帯域信号の前記マッピングされたトーンのうち、ガードバンドに含まれる１つ以上のトーンの符号をインバースさせるか、又は前記１つ以上のトーンをヌルトーンに変更するステップ
を更に有することを特徴とする請求項１４に記載の超広帯域信号の干渉回避方法。
【請求項１７】
ワイマックス（ＷｉＭａｘ）信号に対する超広帯域信号の干渉回避方法であって、
所定のデータビットをトーンマッピングして超広帯域信号を生成するステップと、
前記超広帯域信号の前記マッピングされたトーンのうち、ガードバンドに含まれる１つ以上のトーンの符号をインバースさせるか、又は前記１つ以上のトーンをヌルトーンに変更するステップと、
前記超広帯域信号の前記マッピングされたトーンのうち、ヌルトーンを含む第１帯域が前記ワイマックス信号と干渉が発生する第２帯域にシフトされるように制御するステップと、
前記超広帯域信号の前記マッピングされたトーンのうち、前記シフトによってＤＣタームとなるトーンをヌルトーンに変更するステップと、
を有することを特徴とする超広帯域信号の干渉回避方法。
【請求項１８】
前記第１帯域が前記ワイマックス信号と干渉が発生する第２帯域にシフトされるように制御する前記ステップは、
前記超広帯域信号に所定の指数関数信号を掛けるステップ
を含み、
前記所定の指数関数信号は、
2010504021.tif 000013
であり、ここでｍは２５であることを特徴とする請求項１７に記載の超広帯域信号の干渉回避方法。
【請求項１９】
所定の無線通信網信号に対する超広帯域信号の干渉回避方法であって、
所定のデータビットをトーンマッピングして超広帯域信号を生成するステップと、
前記超広帯域信号の前記マッピングされたトーンのうち、前記無線通信網信号と干渉が発生する１つ以上のトーンを含む第２帯域に対する情報を制御するステップと、
前記超広帯域信号の前記マッピングされたトーンのうち、ヌルトーンを含む第１帯域が前記第２帯域にシフトされるように制御するステップと、
を有することを特徴とする超広帯域信号の干渉回避方法。
【請求項２０】
前記第２帯域は、５個以下のトーンを含むことを特徴とする請求項１９に記載の超広帯域信号の干渉回避方法。
【請求項２１】
前記データビットは、ワイメディア（ＷｉＭｅｄｉａ）超広帯域規約に従って前記トーンマッピングされ、前記第１帯域は、前記ワイメディア超広帯域規約に従ってマッピングされた１２８個のトーンのうちの６２番トーン〜６６番トーンを含み、前記６２番トーン〜前記６６番トーンはヌルトーンであり、
前記超広帯域信号の前記マッピングされたトーンのうち、前記無線通信網信号と干渉が発生する１つ以上のトーンを含む第２帯域に対する情報を制御する前記ステップは、
前記超広帯域信号の前記マッピングされたトーンのうち、前記第２帯域に含まれるトーンを認識するステップと、
前記第１帯域の前記６２番トーン〜６６番トーンがシフトされて前記第２帯域のトーンのすべてを含んで重畳するための前記シフト値を演算するステップと、
を含むことを特徴とする請求項１９に記載の超広帯域信号の干渉回避方法。
【請求項２２】
前記第１帯域が前記第２帯域にシフトされるように制御する前記ステップは、
前記超広帯域信号に所定の指数関数信号を掛けるステップ
を含み、
前記所定の指数関数信号は、
2010504021.tif 000014
であり、ここでｍは前記演算された前記シフト値に設定されることを特徴とする請求項２１に記載の超広帯域信号の干渉回避方法。
【請求項２３】
前記超広帯域信号の前記マッピングされたトーンのうち、ガードバンドに含まれる１つ以上のトーンの符号をインバースさせるステップ
を更に有することを特徴とする請求項１９に記載の超広帯域信号の干渉回避方法。
【請求項２４】
前記超広帯域信号の前記マッピングされたトーンのうち、ガードバンドに含まれる１つ以上のトーンをヌルトーンに変更するステップ
を更に有することを特徴とする請求項１９に記載の超広帯域信号の干渉回避方法。
【請求項２５】
前記超広帯域信号の前記マッピングされたトーンのうち、前記シフトによってＤＣタームとなるトーンをヌルトーンに変更するステップ
を更に有することを特徴とする請求項１９に記載の超広帯域信号の干渉回避方法。
【請求項２６】
所定の無線通信網信号に対する超広帯域信号の干渉回避方法であって、
所定のデータビットをトーンマッピングして超広帯域信号を生成するステップと、
前記超広帯域信号の前記マッピングされたトーンのうち、ガードバンドに含まれる１つ以上のトーンの符号をインバースさせるか、又は前記１つ以上のトーンをヌルトーンに変更するステップと、
前記超広帯域信号の前記マッピングされたトーンのうち、前記無線通信網信号と干渉が発生する１つ以上のトーンを含む第２帯域を認識するステップと、
前記超広帯域信号の前記マッピングされたトーンのうち、ヌルトーンを含む第１帯域のトーンが前記第２帯域のトーンを含むようにシフトされるためのシフト値を演算するステップと、
前記超広帯域信号の前記マッピングされたトーンのうち、前記シフトによってＤＣタームとなるトーンをヌルトーンに変更するステップと、
前記シフト値によって前記第１帯域が前記第２帯域にシフトされるように制御するステップと、
を有することを特徴とする超広帯域信号の干渉回避方法。
【請求項２７】
前記データビットは、ワイメディア（ＷｉＭｅｄｉａ）超広帯域規約に従って前記トーンマッピングされ、前記第１帯域は、前記ワイメディア超広帯域規約に従ってマッピングされた１２８個のトーンのうちの６２番トーン〜６６番トーンを含み、該６２番トーン〜前記６６番トーンはヌルトーンであることを特徴とする請求項２６に記載の超広帯域信号の干渉回避方法。
【請求項２８】
前記第１帯域が前記第２帯域にシフトされるように制御する前記ステップは、
前記超広帯域信号に所定の指数関数信号を掛けるステップ
を含み、
前記所定の指数関数信号は、
2010504021.tif 000015
であり、ここでｍは前記演算された前記シフト値に設定されることを特徴とする請求項２６に記載の超広帯域信号の干渉回避方法。
【請求項２９】
請求項１〜２８のうちのいずれか一項の方法を実行させるためのプログラムを記録したコンピュータ読み取り可能な記録媒体。
【請求項３０】
超広帯域端末機であって、
所定のデータビットをトーンマッピングして超広帯域信号を生成するトーンマッピングモジュールと、
前記超広帯域信号の前記マッピングされたトーンのうち、無線通信網信号と干渉が発生する１つ以上のトーンを含む第２帯域に対する情報を制御する干渉回避制御モジュールと、
前記超広帯域信号の前記マッピングされたトーンのうち、ヌルトーンを含む第１帯域が前記第２帯域にシフトされるように制御するシフト制御モジュールと、
を備えることを特徴とする超広帯域端末機。
【請求項３１】
前記第２帯域は、５個以下のトーンを含むことを特徴とする請求項３０に記載の超広帯域端末機。
【請求項３２】
前記データビットは、ワイメディア（ＷｉＭｅｄｉａ）超広帯域規約に従って前記トーンマッピングされ、前記第１帯域は、前記ワイメディア超広帯域規約に従ってマッピングされた１２８個のトーンのうちの６２番トーン〜６６番トーンを含み、該６２番トーン〜前記６６番トーンはヌルトーンであり、
前記干渉回避制御モジュールは、前記超広帯域信号の前記マッピングされたトーンのうちで前記第２帯域に含まれるトーンを認識し、前記第１帯域の前記６２番トーン〜６６番トーンがシフトされて前記第２帯域のトーンのすべてを含んで重畳するための前記シフト値を演算することを特徴とする請求項３０に記載の超広帯域端末機。
【請求項３３】
前記シフト制御モジュールは、所定の乗算器を用いて前記超広帯域信号に所定の指数関数信号を掛けて前記第１帯域が前記第２帯域にシフトされるように制御し、
前記所定の指数関数信号は、
2010504021.tif 000016
であり、ここでｍは前記演算された前記シフト値に設定されることを特徴とする請求項３２に記載の超広帯域端末機。
【請求項３４】
前記干渉回避制御モジュールは、前記超広帯域信号の前記マッピングされたトーンのうち、ガードバンドに含まれる１つ以上のトーンの符号をインバースさせることを特徴とする請求項３０に記載の超広帯域端末機。
【請求項３５】
前記干渉回避制御モジュールは、前記超広帯域信号の前記マッピングされたトーンのうち、ガードバンドに含まれる１つ以上のトーンをヌルトーンに変更することを特徴とする請求項３０に記載の超広帯域端末機。
【請求項３６】
前記干渉回避制御モジュールは、前記超広帯域信号の前記マッピングされたトーンのうち、前記シフトによってＤＣタームとなるトーンをヌルトーンに変更することを特徴とする請求項３０に記載の超広帯域端末機。
【請求項３７】
超広帯域信号と他の無線通信網信号との間に発生する干渉現象を減らす超広帯域信号の干渉回避方法であって、
前記超広帯域信号を生成するステップと、
前記無線通信網信号と前記超広帯域信号が重畳する位置に該超広帯域信号のヌルトーンがシフトされるように該超広帯域信号をサイクリックシフトするステップと、
を有することを特徴とする超広帯域信号の干渉回避方法。
【発明の詳細な説明】
【技術分野】
【０００１】
本発明は、超広帯域（ＵＷＢ：Ｕｌｔｒａ  Ｗｉｄｅ  Ｂａｎｄ）信号の干渉回避（ＤＡＡ：Ｄｅｔｅｃｔｉｏｎ  ａｎｄ  Ａｖｏｉｄａｎｃｅ）方法及びその方法を実行する超広帯域端末機に関し、より詳細には、超広帯域信号のヌル（ｎｕｌｌ）トーン帯域を干渉発生帯域にシフト（ｓｈｉｆｔ）することで、超広帯域信号の広い帯域幅（ｂａｎｄｗｉｄｔｈ）によってワイマックス（ＷｉＭａｘ）信号などの無線通信網信号と超広帯域信号との間に発生する干渉現象を最小化することができる超広帯域信号の干渉回避方法及びこの方法を実行する超広帯域端末機に関する。
【背景技術】
【０００２】
最近、別途の周波数資源を確保せずに既存の無線通信サービスと共存して高速広帯域の無線通信を可能にする超広帯域通信が活発に研究されている。
【０００３】
数ナノ秒に至る極短いパルスを用いてデータを送信するＵＷＢは、既存の狭帯域通信とは異なる多くの特徴を有する。ＵＷＢは基本的にパルスを用いた信号の送信であるため、広い周波数帯域及び小さい送信電力密度を有する。ＵＷＢは広い帯域幅を用いるため、速いデータ送信が可能であり、電力消耗量が相対的に少なく、多重接続が可能であり、雑音帯域下でも通信が可能であるという長所を有する。
【０００４】
ＵＷＢを応用することができる分野は多様である。特に、ＵＷＢは、１０ｍ以内の近距離通信に適用されるものとして期待されている。ＵＷＢは、ブルートゥース（登録商標）、ジグビーなど既存の近距離通信に比べて高速のデータ送信が可能であるため、次世代近距離通信技術として注目されている。
【０００５】
但し、ＵＷＢは、広い帯域幅のために他の無線通信網のサービス帯域と衝突する素地が多い。これにより、各国の政府では、ＵＷＢ信号が既存のチャンネルを干渉しないように放出電力の限界を規定している。即ち、特定無線通信網のサービス帯域と干渉が発生するＵＷＢの該当帯域に対しては、パワー（ｐｏｗｅｒ）を基準値以下で維持することを前提にしてＵＷＢ通信サービスを許可している。
【０００６】
例えば、アメリカの場合、ＵＷＢ通信のための帯域を３．１ＧＨｚ〜１０．６ＧＨｚに規定し、電力放出限界を−４１．３ｄＢｍとしている。これ以外にも他の帯域に対する干渉を減らすように、電力レベルに対する制限を置いている。特に０．９６ＧＨｚ〜１．６１ＧＨｚ帯域は、全地球測位システム（ＧＰＳ：Ｇｌｏｂａｌ  Ｐｏｓｉｔｉｏｎｉｎｇ  Ｓｙｓｔｅｍ）のために特に低い電力レベルに制限している。
【０００７】
また、ヨーロッパの場合もアメリカの場合と同様に、ＵＷＢ通信のための帯域を３．１ＧＨｚ〜１０．６ＧＨｚに規定し、信号放出電力を−４１．３ｄＢｍに規定している。特にヨーロッパの場合、ワイマックス（ＷｉＭａｘ：Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）との衝突問題が当面課題として頭をもたげている。ワイマックスで要求される狭帯域信号の防護レベル（Ｎａｒｒｏｗｂａｎｄ  Ｓｉｇｎａｌ  Ｐｒｏｔｅｃｔｉｏｎ  Ｌｅｖｅｌ）は−６５ｄＢｍ／ＭＨｚである。一方、ＵＷＢの信号レベル（Ｓｉｇｎａｌ  Ｌｅｖｅｌ）は−４１．３ｄＢｍ／ＭＨｚである。従って、ワイマックスとＵＷＢのレベル差は２３．７ｄＢｍ／ＭＨｚである。これにより、ＵＷＢの帯域のうちワイマックスとの干渉が発生する特定帯域の送信電力を約２３．７ｄＢｍ／ＭＨｚ落とす必要がある。
【０００８】
このような当面の課題により、より簡単な方法でワイマックスなどの無線通信とＵＷＢ通信との間に発生する干渉を最小化し、該当帯域の電力を十分に落とすことができるＵＷＢの干渉回避の技術開発が求められている。
【発明の概要】
【発明が解決しようとする課題】
【０００９】
本発明は、上記従来の問題点に鑑みてなされたものであって、超広帯域信号のヌルトーン帯域を所定の無線通信網信号と干渉が発生する帯域にシフトすることで、より簡単な方法で超広帯域信号と他の無線通信網信号との間に発生する干渉現象を効率的に解決することができる超広帯域信号の干渉回避方法及びその方法を実行する超広帯域端末機を提供することを目的とする。
【００１０】
また、本発明は、このように超広帯域信号のヌルトーン帯域をシフトする場合、シフトによってＤＣ（直流）ターム（ｔｅｒｍ）となるシングルトーンのみをヌルトーンに変更するため、超広帯域信号の干渉回避動作時にデータ損失を最小化することができる超広帯域信号の干渉回避方法及びその方法を実行する超広帯域端末機を提供することを他の目的とする。
【００１１】
また、本発明は、単純に超広帯域信号のトーンマッピングをシフトする動作のみで干渉回避を実現するため、超広帯域端末機の各モジュールに対して別途の再設計を必要とせず、より経済的かつ効率的な超広帯域信号の干渉回避方法及びその方法を実行する超広帯域端末機を提供することを他の目的とする。
【００１２】
更に、本発明は、シフトされる超広帯域信号のヌルトーン周辺に位置するガードバンドに含まれる１つ以上のトーンの符号をインバースさせるか、又は１つ以上のトーンをヌルトーンに変更することで、所定の無線通信網信号と干渉が発生する超広帯域信号の該当帯域の電力を十分に落とすことができる超広帯域信号の干渉回避方法及びその方法を実行する超広帯域端末機を提供することを更に他の目的とする。
【課題を解決するための手段】
【００１３】
上記目的を達成するためになされた、本発明に係るワイマックス信号に対する超広帯域信号の干渉回避方法は、所定のデータビットをトーンマッピング（ｔｏｎｅ  ｍａｐｐｉｎｇ）して超広帯域信号を生成するステップと、前記超広帯域信号の前記マッピングされたトーンのうち、ヌルトーンを含む第１帯域が前記ワイマックス信号と干渉が発生する第２帯域にシフトされるように制御するステップとを含むことを特徴とする。
【００１４】
また、本発明に係るワイマックス信号に対する超広帯域信号の干渉回避方法は、所定のデータビットをトーンマッピングして超広帯域信号を生成するステップと、前記超広帯域信号の前記マッピングされたトーンのうち、ガードバンド（ｇｕａｒｄ  ｂａｎｄ）に含まれる１つ以上のトーンの符号をインバース（ｉｎｖｅｒｓｅ）させるか、又は前記１つ以上のトーンをヌルトーンに変更するステップと、前記超広帯域信号の前記マッピングされたトーンのうち、ヌルトーンを含む第１帯域が前記ワイマックス信号と干渉が発生する第２帯域にシフトされるように制御するステップとを含むことを特徴とする。
【００１５】
また、本発明に係るワイマックス信号に対する超広帯域信号の干渉回避方法は、所定のデータビットをトーンマッピングして超広帯域信号を生成するステップと、前記超広帯域信号の前記マッピングされたトーンのうち、ヌルトーンを含む第１帯域が前記ワイマックス信号と干渉が発生する第２帯域にシフトされるように制御するステップと、前記超広帯域信号の前記マッピングされたトーンのうち、前記シフトによってＤＣタームとなるトーンをヌルトーンに変更するステップとを含むことを特徴とする。
【００１６】
また、本発明に係るワイマックス信号に対する超広帯域信号の干渉回避方法は、所定のデータビットをトーンマッピングして超広帯域信号を生成するステップと、前記超広帯域信号の前記マッピングされたトーンのうち、ガードバンドに含まれる１つ以上のトーンの符号をインバースさせるか、又は前記１つ以上のトーンをヌルトーンに変更するステップと、前記超広帯域信号の前記マッピングされたトーンのうち、ヌルトーンを含む第１帯域が前記ワイマックス信号と干渉が発生する第２帯域にシフトされるように制御するステップと、前記超広帯域信号の前記マッピングされたトーンのうち、前記シフトによってＤＣタームとなるトーンをヌルトーンに変更するステップとを含むことを特徴とする。
【００１７】
また、本発明に係る所定の無線通信網信号に対する超広帯域信号の干渉回避方法は、所定のデータビットをトーンマッピングして超広帯域信号を生成するステップと、前記超広帯域信号の前記マッピングされたトーンのうち、前記無線通信網信号と干渉が発生する１つ以上のトーンを含む第２帯域に対する情報を制御するステップと、前記超広帯域信号の前記マッピングされたトーンのうち、ヌルトーンを含む第１帯域が前記第２帯域にシフトされるように制御するステップとを含むことを特徴とする。
【００１８】
また、本発明に係る所定の無線通信網信号に対する超広帯域信号の干渉回避方法は、所定のデータビットをトーンマッピングして超広帯域信号を生成するステップと、前記超広帯域信号の前記マッピングされたトーンのうち、ガードバンドに含まれる１つ以上のトーンの符号をインバースさせるか、又は前記１つ以上のトーンをヌルトーンに変更するステップと、前記超広帯域信号の前記マッピングされたトーンのうち、前記無線通信網信号と干渉が発生する１つ以上のトーンを含む前記第２帯域を認識するステップと、前記超広帯域信号の前記マッピングされたトーンのうち、ヌルトーンを含む第１帯域のトーンが前記第２帯域のトーンを含むようにシフトされるためのシフト値を演算するステップと、前記超広帯域信号の前記マッピングされたトーンのうち、前記シフトによってＤＣタームとなるトーンをヌルトーンに変更するステップと、前記シフト値によって前記第１帯域が前記第２帯域にシフトされるように制御するステップとを含むことを特徴とする。
【００１９】
また、本発明に係る超広帯域端末機は、所定のデータビットをトーンマッピングして超広帯域信号を生成するトーンマッピングモジュールと、前記超広帯域信号の前記マッピングされたトーンのうち、無線通信網信号と干渉が発生する１つ以上のトーンを含む第２帯域に対する情報を制御する干渉回避制御モジュールと、前記超広帯域信号の前記マッピングされたトーンのうち、ヌルトーンを含む第１帯域が前記第２帯域にシフトされるように制御するシフト制御モジュールとを備えることを特徴とする。
【発明の効果】
【００２０】
本発明の超広帯域信号の干渉回避方法及びその方法を実行する超広帯域端末機によれば、超広帯域信号のヌルトーン帯域を所定の無線通信網信号と干渉が発生する帯域にシフトすることで、より簡単な方法のみで超広帯域信号と他の無線通信網信号との間に発生する干渉現象を効率的に解決することができる。
【００２１】
また、本発明の超広帯域信号の干渉回避方法及びその方法を実行する超広帯域端末機によれば、超広帯域信号のヌルトーン帯域をシフトする場合、シフトによってＤＣタームとなるシングルトーンのみをヌルトーンに変更するため、超広帯域信号の干渉回避動作時にデータ損失を最小化することができる。
【００２２】
また、本発明の超広帯域信号の干渉回避方法及びその方法を実行する超広帯域端末機によれば、単純に超広帯域信号のトーンマッピングをシフトする動作のみで干渉回避を実現するため、超広帯域端末機の各モジュールに対して別途の再設計を必要とせず、より経済的かつ効率的な超広帯域信号の干渉回避を実現することができる。
【００２３】
更に、本発明の超広帯域信号の干渉回避方法及びその方法を実行する超広帯域端末機によれば、シフトされる超広帯域信号のヌルトーン周辺に位置するガードバンドに含まれる１つ以上のトーンの符号をインバースさせるか、又は１つ以上のトーンをヌルトーンに変更することで、所定の無線通信網信号と干渉が発生する超広帯域信号の該当の帯域の電力を十分に落とすことができる。
【図面の簡単な説明】
【００２４】
【図１】本発明の一実施形態による超広帯域端末機の構成を示すブロック図である。
【図２】本発明の一実施形態による超広帯域信号の干渉回避動作を実行する超広帯域送信装置の構成及びその動作の流れを示すブロック図である。
【図３】ワイメディア超広帯域規約によるトーンマッピングを示す図である。
【図４】超広帯域信号及びワイマックス信号の間に干渉が発生する超広帯域信号の周波数帯域を示す図である。
【図５】本発明の一実施形態によるヌルトーン帯域をワイマックス信号との干渉発生帯域にサイクリックシフトした超広帯域信号の周波数帯域を示す図である。
【図６】本発明の一実施形態による超広帯域送信端末機及び超広帯域受信端末機の一部構成を示すブロック図である。
【図７】超広帯域信号のガードバンド構成を示す図である。
【図８】図８は本発明の一実施形態によるガードバンドに含まれる１つ以上のトーンの符号をインバースさせたガードバンドの構成を示す図である。
【図９】本発明の他の実施形態によるガードバンドに含まれる１つ以上のトーンをヌルトーンに変更したガードバンドを示す図である。
【図１０】従来技術によるワイマックス信号に対する超広帯域信号のヌルトーン帯域にノッチフィルタを適用して干渉回避を実現した結果を示すグラフである。
【図１１】本発明の一実施形態による超広帯域信号のヌルトーン帯域をワイマックス信号と干渉が発生する帯域にシフトさせて干渉回避を実現した結果を示すグラフである。
【図１２】本発明の他の実施形態による超広帯域信号のヌルトーン帯域をワイマックス信号と干渉が発生する帯域にシフトさせ、ガードバンドのすべてのトーンをヌルトーンに変更して干渉回避を実現した結果を示すグラフである。
【図１３】本発明の一実施形態によるワイマックス信号に対する超広帯域信号の干渉回避方法の流れを示すフローチャートである。
【図１４】本発明の他の実施形態による所定の無線通信網信号に対する超広帯域信号の干渉回避方法の流れを示すフローチャートである。
【発明を実施するための形態】
【００２５】
本発明を実施するための形態について図面を参照しながら詳細に説明する実施例には参照符号を付与し、類似する構成要素には、類似する符号及び番号を使用する。本発明を説明するために本発明の実施形態について図面を参照しながら以下に記述する。
【００２６】
本発明に係る超広帯域信号の干渉回避方法は、干渉が発生する帯域に含まれるトーンの個数が５個以下であるすべての無線通信網信号に対して適用することができる。即ち、超広帯域信号と所定の無線通信網信号との間に干渉が発生する場合、超広帯域信号の干渉発生区間に含まれたトーンの個数が５個以下であれば、無線通信網信号に対して本発明に係る超広帯域信号の干渉回避方法を適用することができる。
【００２７】
但し、本明細書では、説明の便宜のために無線通信網信号のうちでワイマックス信号を例示して本発明に係る超広帯域信号の干渉回避方法を説明する。更に、本明細書では、多様な種類の超広帯域規約（ｓｐｅｃｉｆｉｃａｔｉｏｎ）のうちでワイメディア超広帯域（ＷｉＭｅｄｉａ  ＵＷＢ）規約を例示して説明する。
【００２８】
以下、添付の図面を参照しながら、本発明の実施形態について詳しく説明する。
【００２９】
図１は、本発明の一実施形態による超広帯域端末機の構成を示すブロック図である。
【００３０】
図２は、本発明の一実施形態による超広帯域信号の干渉回避動作を実行する超広帯域送信装置の構成及びその動作の流れを示すブロック図である。
【００３１】
先ず、図１を参照すると、本発明の一実施形態による超広帯域端末機は、トーンマッピングモジュール１１０と、干渉回避制御モジュール１２０と、シフト制御モジュール１３０とを備えて構成される。図１に示す超広帯域端末機の各構成モジュールは、図２に示す超広帯域送信装置の一部構成に対応するように実現することができる。即ち、図１のトーンマッピングモジュール１１０及び干渉回避制御モジュール１２０は、図２のトーンマッパー２４０を含んで実現することができ、図１のシフト制御モジュール１３０は、図２の第１乗算器２６０を含んで実現することができる。
【００３２】
一般的な超広帯域送信装置は、コンボリューションコーディング（ｃｏｎｖｏｌｕｔｉｏｎ  ｃｏｄｉｎｇ）、パンクチュアリング（ｐｕｎｃｔｕｒｉｎｇ）、インターリバー（ｉｎｔｅｒｌｅａｖｅｒ）、トーンマッピング（ｔｏｎｅ  ｍａｐｐｉｎｇ）、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）、及び変調（ｍｏｄｕｌａｔｉｏｎ）の動作を遂行して超広帯域信号を受信装置に送信することができる。
【００３３】
本発明の一実施形態による超広帯域送信装置は、上述した一般的な超広帯域送信装置の構成及び動作を含むだけでなく、図２に示すように、逆高速フーリエ変換部２５０から出力される超広帯域信号に所定の指数関数信号を掛ける第１乗算器２６０を更に含んで構成することができる。上述したように、指数関数信号を掛ける第１乗算器２６０は、図１のシフト制御モジュール１３０に含まれるように実現することができる。また、トーンマッパー２４０は、超広帯域信号スペックによるトーンマッピングだけでなく、後述する図１の干渉回避制御モジュール１２０の構成及び動作を実行するように実現することができる。
【００３４】
また、図１において、トーンマッピングモジュール１１０は、所定のデータビットをトーンマッピングして超広帯域信号を生成する。本発明の一実施形態によれば、トーンマッピングモジュール１１０は、ワイメディア超広帯域規約に従ってデータビットをトーンマッピングすることができる。また、トーンマッピングモジュール１１０は、ワイメディア超広帯域規約だけではなく、すべてのワイメディア超広帯域規約に従ってデータビットをトーンマッピングすることもできる。
【００３５】
図３は、ワイメディア超広帯域規約によるトーンマッピングを示す図である。
【００３６】
トーンマッピングモジュール１１０は、図３に示すように、ワイメディア超広帯域規約に従ってデータビットをトーンマッピングすることができる。ワイメディア超広帯域規約によれば、超広帯域信号は、５２８ＭＨｚ帯域幅に１２８個のトーンをそれぞれマッピングすることができる。従って、１個のトーンは４．１２５ＭＨｚの周波数帯域を有する。
【００３７】
１２８個のトーンは、０番トーン〜１２７番のトーンに区分することができる。トーンの番号は説明の便宜上区分しただけであり、より多様な方法で区分することができる。例えば、１２８個のトーンは−６４番トーン〜６３番トーンに区分することもできる。ワイメディア超広帯域規約によるトーンマッピングは、サイクリックシフトすることができる。
【００３８】
ワイメディア超広帯域規約に従ってマッピングされた１２８個のトーンのうち、６個のトーンはヌルトーンとして設定される。ワイメディア超広帯域規約によれば、６個のヌルトーンのうちの１つは０番トーンのＤＣタームであり、残りの５個のヌルトーンは６２番トーン、６３番トーン、６４番トーン、６５番トーン、及び６６番トーンと連続的に設定される。
【００３９】
また、５個のヌルトーンの周辺には第１ガードバンド及び第２ガードバンドを設定することができる。即ち、５７番トーン、５８番トーン、５９番トーン、６０番トーン、及び６１番トーンを第１ガードバンドとして設定することができ、６７番トーン、６８番トーン、６９番トーン、７０番トーン、及び７１番トーンを第２ガードバンドとして設定することができる。
【００４０】
図４は、超広帯域信号及びワイマックス信号の間に干渉が発生する超広帯域信号の周波数帯域を示す図である。
【００４１】
超広帯域信号は、その広い帯域幅によって各種無線通信網信号と干渉を起こすことがある。特に、本明細書において例示して説明するワイマックス信号との場合、図４に示すように、８７番トーン〜９１番トーンの帯域でワイマックス信号と干渉が発生することがある。８７番トーン〜９１番トーンの帯域は、３２６１ＭＨｚ〜３２８１ＭＨの周波数帯域を有する。
【００４２】
一般的に、ワイマックス信号が超広帯域信号と干渉を起こす帯域は超広帯域信号の８９番トーンの１つに該当するが、サイドローブによる間接的な干渉現象などを解決してより十分に干渉現象を解決するために、本発明では干渉が発生する帯域を８７番トーン〜９１番トーンの帯域の５個のトーンの帯域で設定することができる。
【００４３】
再び図１を参照すると、シフト制御モジュール１３０は、超広帯域信号のマッピングされたトーンのうち、ヌルトーンを含む第１帯域がワイマックス信号と干渉が発生する第２帯域にシフトされるように制御する。これについては、図５を参照しながら説明する。
【００４４】
図５は、本発明の一実施形態によるヌルトーン帯域をワイマックス信号との干渉発生帯域にサイクリックシフトした超広帯域信号の周波数帯域を示す図である。
【００４５】
シフト制御モジュール１３０は、上述したように、第１帯域を第２帯域にシフトさせる。第１帯域は、超広帯域信号の１２８個のトーンのうち、６２番トーン〜６６番トーンの５個のヌルトーンを含む帯域を意味する。また、第２帯域は、ワイマックス信号と干渉が発生する超広帯域信号の周波数帯域、即ち８７番トーン〜９１番トーンの５個のトーンを含む帯域を意味する。
【００４６】
シフト制御モジュール１３０は、超広帯域信号に所定の（ｐｒｅｄｅｔｅｒｍｉｎｅｄ）指数関数信号を掛けて第１帯域を第２帯域にシフトさせることができる。超広帯域信号を高速フーリエ変換（ＦＦＴ：Ｆａｓｔ  Ｆｏｕｒｉｅｒ  Ｔｒａｎｓｆｏｒｍ）して周波数帯域で解釈すれば、数式１のように一般的に表現することができる。
【００４７】
【数１】
2010504021.tif 000003
【００４８】
数式１において、ｋは周波数帯域におけるインデックス（ｉｎｄｅｘ）であり、ｎは時間領域におけるインデックスである。シフト制御モジュール１３０は、乗算器を用いて超広帯域信号Ｘ（ｋ）に、指数関数信号である
2010504021.tif 000004
を掛けて第１帯域を第２帯域にシフトさせることができる。
【００４９】
【数２】
2010504021.tif 000005
【００５０】
数式２のように、超広帯域信号に指数関数信号を掛ければ、超広帯域信号の周波数帯域のトーンがｍだけシフトされた結果を得ることができる。ｍ値は、超広帯域信号のトーンがシフトされるトーン番号個数だけで設定することができる。例えば、本明細書で説明するワイマックス信号との場合、ｍは２５の値を有するように設定することができる。従って、超広帯域信号のヌルトーン帯域である６２番トーン〜６６番トーンは、ワイマックス信号と干渉が発生する８７番トーン〜９１番トーンの帯域にシフトすることができる。
【００５１】
このように、超広帯域信号のヌルトーン帯域である第１帯域がワイマックス信号と干渉が発生する第２帯域にシフトされる場合、超広帯域信号のワイマックス信号に対する干渉回避を実現することができる。即ち、干渉帯域のトーンをすべてヌルトーンに変更せず、超広帯域信号のヌルトーンを干渉帯域にシフトさせる動作のみでも干渉回避を実現することができる。
【００５２】
このような超広帯域信号のヌルトーン区間シフトは、ワイマックス信号だけではなく、他の無線通信網信号に対しても実現することができる。即ち、超広帯域信号と干渉が発生する帯域のトーン個数が５個以下であるすべての無線通信網信号に対して、ヌルトーン帯域シフトによる干渉回避を実現することができる。即ち、指数関数信号のｍ値を無線通信網信号との干渉発生帯域によって変更することで、多様な無線通信網信号との干渉回避を実現することができる。
【００５３】
超広帯域信号は、周波数帯域でデータが２πの周期を有するサイクリックした特性を有する。従って、図５に示すように、超広帯域信号のトーンをシフトしても、サイクリックした特性によってデータのトーンマッピング位置のみが変更されるだけで、含まれている情報は変更されない。
【００５４】
図６は、本発明の一実施形態による超広帯域送信端末機及び超広帯域受信端末機の一部構成を示すブロック図である。
【００５５】
上述した超広帯域信号及び指数関数信号の乗算は、超広帯域送信端末機６１０の乗算器を用いて実現することができる。即ち、超広帯域送信端末機は、逆高速フーリエ変換された超広帯域信号Ｘ（ｎ）に、第１指数関数信号
2010504021.tif 000006
を乗算器を用いて掛けた後、搬送波（ｃａｒｒｉｅｒ）にこの変調信号をのせて超広帯域受信端末機６２０に送信することができる。
【００５６】
超広帯域受信端末機６２０は、超広帯域送信端末機６１０から超広帯域信号を受信して復調した後、乗算器を用いて、第２指数関数信号
2010504021.tif 000007
を掛けることができる。即ち、第２指数関数信号を掛けることで、第１指数関数信号との乗算によってシフトされた超広帯域信号のトーンマッピングを本来のトーンマッピングに逆シフトすることができる。超広帯域受信端末機６２０は、トーンマッピングを逆シフトした超広帯域信号を高速フーリエ変換した後、超広帯域信号に含まれる情報を解釈することができる。
【００５７】
再び図１を参照すると、干渉回避制御モジュール１２０は、超広帯域信号のマッピングされたトーンのうち、所定の無線通信網信号と干渉が発生する１つ以上のトーンを含む第２帯域に対する情報を制御する。即ち、干渉回避制御モジュール１２０は、干渉回避を実現しようとする無線通信網信号に対し、無線通信網信号と干渉が発生する超広帯域信号の周波数帯域を認知する。干渉発生周波数帯域の認知は、外部からその情報が入力される動作で実現することもできる。
【００５８】
干渉回避制御モジュール１２０は、干渉発生区間の周波数帯域である第２帯域を認知した後、指数関数信号のｍ値を演算する。干渉回避制御モジュール１２０は、演算したｍ値を指数関数信号に設定した後、シフト制御モジュール１３０が演算されたｍ値が設定された指数関数信号を超広帯域信号に掛けて第１帯域を第２帯域にシフトするように制御することができる。
【００５９】
また、干渉回避制御モジュール１２０は、超広帯域信号のマッピングされたトーンのうち、ガードバンドに含まれる１つ以上のトーンを調整することができる。超広帯域信号のヌルトーン帯域の周辺に位置するガードバンドのトーンのリップル（ｒｉｐｐｌｅ）の影響により、干渉発生帯域の電力レベルが十分に落ちないこともある。これにより、干渉回避制御モジュール１２０は、ガードバンドのトーンを調整することができる。即ち、干渉回避制御モジュール１２０は、ガードバンドに含まれる１つ以上のトーンの符号をインバースさせたり、１つ以上のトーンをヌルトーンに変更したりできる。
【００６０】
図７は、超広帯域信号のガードバンド構成を示す図である。
【００６１】
ワイメディア超広帯域規約によれば、ガードバンドは、図７に示すように、ヌルトーン帯域の両側面に２個が存在する。即ち、第１ガードバンドは５７番トーン〜６１番トーンを含み、第２ガードバンドは６７番トーン〜７１番トーンを含む。各ガードバンドのトーンには前又は後のトーンのデータと同じデータが含まれる。
【００６２】
即ち、ワイメディア超広帯域規約によれば、第１ガードバンドに含まれる各トーンには前のトーンのデータを複写することができる。例えば、５１番トーンにはデータＡ、５２番トーンにはデータＢ、５３番トーンにはデータＣ、５４番トーンにはデータＤ、及び５６番トーンにはデータＥが含まれた場合、第１ガードバンドの５７番トーンにはデータＡ、５８番トーンにはデータＢ、５９番トーンにはデータＣ、６０番トーンにはデータＤ、及び６１番トーンにはデータＥをそれぞれ複写することができる。このとき、５５番トーンは、パイロットトーン（ｐｉｌｏｔ  ｔｏｎｅ）として設定することができる。
【００６３】
また、ワイメディア超広帯域規約によれば、第２ガードバンドに含まれる各トーンには後のトーンのデータを複写することができる。例えば、７２番トーンにはデータｅ、７４番トーンにはデータｄ、７５番トーンにはデータｃ、７６番トーンにはデータｂ、及び７７番トーンにはデータａが含まれた場合、第２ガードバンドの６７番トーンにはデータｅ、６８番トーンにはデータｄ、６９番トーンにはデータｃ、７０番トーンにはデータｂ、及び７１番トーンにはデータａをそれぞれ複写することができる。このとき、７３番トーンは、パイロットトーンとして設定することができる。
【００６４】
図８は、本発明の一実施形態によるガードバンドに含まれる１つ以上のトーンの符号をインバースさせたガードバンドの構成を示す図である。
【００６５】
本発明の一実施形態によれば、干渉回避制御モジュール１２０は、ガードバンドに含まれる１つ以上のトーンの符号をインバースさせることができる。即ち、ワイマックス信号と干渉回避を実現する場合、干渉回避制御モジュール１２０は、図８に示すように、第１ガードバンドのトーンのうちで５７番トーン、５９番トーン、及び６１番トーンの符号をそれぞれインバースさせることができる。また、干渉回避制御モジュール１２０は、第２ガードバンドのトーンのうちで６７番トーン、６９番トーン、及び７１番トーンの符号をそれぞれインバースさせることができる。
【００６６】
超広帯域信号のようにＯＦＤＭシンボルを構成するトーンは、シンク（ｓｉｎｋ）形態のスペクトラム（ｓｐｅｃｔｒｕｍ）を有する。即ち、サイドローブ（ｓｉｄｅ  ｌｏｂｅ）のリップルによって他のトーンの領域に干渉を起こすことがある。従って、図８に示すように、ガードバンドのトーンのうちで特定トーンの符号をインバースさせてガードバンドを構成する場合、互いに相殺する効果を誘発してヌルトーン帯域に対する干渉を最小化することができる。
【００６７】
図９は、本発明の他の実施形態によるガードバンドに含まれる１つ以上のトーンをヌルトーンに変更したガードバンドを示す図である。
【００６８】
本発明の他の実施形態によれば、干渉回避制御モジュール１２０は、ガードバンドに含まれる１つ以上のトーンをヌルトーンに変更することができる。即ち、ワイマックス信号と干渉回避を実現する場合、干渉回避制御モジュール１２０は、図９に示すように、第１ガードバンドに含まれるすべてのトーン、即ち５７番トーン〜６１番トーンをすべてヌルトーンに変更することができる。また、干渉回避制御モジュール１２０は、第２ガードバンドに含まれるすべてのトーン、即ち６７番トーン〜７１番トーンをすべてヌルトーンに変更することができる。
【００６９】
このように、ガードバンドのトーンをヌルトーンに変更する場合、干渉帯域の電力レベを十分な程度の水準に落とし、より確実な干渉回避を実現することができる。図９では、ガードバンドに含まれるすべてのトーンをヌルトーンに変更する場合を例示して説明したが、当業者の判断によってヌルトーンに変更するトーンの個数を多様に設定することができる。
【００７０】
上述したように、ガードバンドのトーンを調整すると同時に、干渉回避制御モジュール１２０は、超広帯域信号のマッピングされたトーンのうち、シフトによってＤＣタームとなるトーンをヌルトーンに変更する。即ち、ＤＣタームはヌルトーンとして設定されなければならないため、シフト動作によって新たにＤＣタームとなるトーンをヌルトーンに変更することができる。
【００７１】
例えば、図５を参照すると、ワイマックス信号との干渉回避を実現する場合、ＤＣタームは本来０番トーンとして設定することができる。しかし、シフト動作を実行する場合、ＤＣタームは２５番タームとして新たに設定することができる。従って、干渉回避制御モジュール１２０は、ガードバンドの調整と共に、ＤＣタームとなるトーンをヌルトーンに変更することができる。
【００７２】
図１０は、従来技術によるワイマックス信号に対する超広帯域信号のヌルトーン帯域にノッチフィルタを適用して干渉回避を実現した結果を示すグラフである。
【００７３】
図１１は、本発明の一実施形態による超広帯域信号のヌルトーン帯域をワイマックス信号と干渉が発生する帯域にシフトさせて干渉回避を実現した結果を示すグラフである。
【００７４】
図１２は、本発明の他の実施形態による超広帯域信号のヌルトーン帯域をワイマックス信号と干渉が発生する帯域にシフトさせ、ガードバンドのすべてのトーンをヌルトーンに変更して干渉回避を実現した結果を示すグラフである。
【００７５】
図１０〜図１２は、１００個のビットデータ（ｂｉｔ  ｄａｔａ）をランダム（ｒａｎｄｏｍ）に発生させて５３．３／８０Ｍｂｐｓの規格でトーンマッピングをした後に変調（ｍｏｄｕｌａｔｉｏｎ）して比較実験した結果をグラフで示している。
【００７６】
図１０〜図１２において、左側グラフは干渉回避を実現する前を示しており、右側グラフは干渉回避を実現した後を示している。一般的に、ワイマックス信号に対する超広帯域信号の干渉回避の実現時には、干渉が発生する帯域で２３ｄＢｍ／ＭＨｚの電力レベル減少が要求される。
【００７７】
超広帯域信号と無線通信網信号との間の干渉帯域の電力レベル減少のために、従来技術では、干渉帯域の電力を落とすために、帯域に該当するＵＷＢの５個のトーンをヌルトーンに変更する方法が提示されている。しかしながら、このような方法の場合、トーンに該当するデータが損失するという問題点があり、該当帯域の電力が十分に落ちないという問題点がある。
【００７８】
また、ノキア（Ｎｏｋｉａ）グループでは、帯域の周辺干渉を減らすための方法として、ノッチフィルタ（ｎｏｔｃｈ  ｆｉｌｔｅｒ）を用いて該当帯域の電力を落とす方法を提示している。しかしながら、このような方法の場合、該当帯域にノッチフィルタを用いるため、ワイマックスと干渉が発生するＵＷＢの５個のトーンに該当するデータが損失するという問題点が依然として存在する。また、この方法を実現するためには、ＵＷＢ端末機内のインターリバー及びデインターリバー（ｄｅｉｎｔｅｒｌｅａｖｅｒ）を新たに再設計しなければならないため効率的でないという問題点がある。このように、インターリバーに対するスペックも修正しなければならないため、以前のバージョンとの互換性の側面において問題が発生することがある。
【００７９】
また、基本インターリバーをそのまま維持すれば、トーンマッピングが完全に変更されなければならないため、１つのシンボルデータを格納することができる別途の格納空間が要求されるという問題点がある。また、処理時間においても、１シンボルだけのディレイ（ｄｅｌａｙ）が誘発される。また、干渉回避モードと一般モードを並列に設置して実現する場合、その負荷もきわめて大きく増加するという問題点がある。
【００８０】
図１０は、上述したように、ノッチフィルタを適用して干渉回避を実現した結果を示している。図１０の右側のグラフに示すように、従来技術によってノッチフィルタを適用する場合、干渉区間である３．２６ＧＨｚ〜３．２８ＧＨｚの約２０ＭＨｚのすべての帯域で十分な程度の電力レベル減少がなされていないことが分かる。即ち、３．２６ＧＨｚ帯域では０．７４５７ｄＢｍ程度の電力レベルがむしろ増加しており、３．２８ＧＨｚ帯域では１１．５８ｄＢｍ程度の電力レベルが減少したことが分かる。
【００８１】
この反面、図１１に示すように、本発明の一実施形態によって超広帯域信号の５個のヌルトーンをワイマックス信号と干渉が発生する帯域にシフトして干渉回避を実現する場合、干渉区間である３．２６ＧＨｚ〜３．２８ＧＨｚの約２０ＭＨｚのほぼすべての帯域で２３ｄＢｍ／ＭＨｚ程度の電力レベルが減少したことが分かる。従って、本発明によってヌルトーン帯域を干渉発生帯域にシフトさせる動作のみでも、干渉回避実現時に要求される電力レベル減少を十分に実現することができる。
【００８２】
また、図１２に示すように、本発明の他の実施形態によって超広帯域信号の５個のヌルトーンをワイマックス信号と干渉が発生する帯域にシフトすると同時に、超広帯域信号のガードバンドに含まれるすべてのトーンをヌルトーンに変更して干渉回避を実現する場合、干渉区間である３．２６ＧＨｚ〜３．２８ＧＨｚの約２０ＭＨｚのほとんどすべての帯域で２３ｄＢｍ／ＭＨｚ以上の電力レベルが十分な程度だけ減少したことが分かる。従って、本発明によってヌルトーン帯域を干渉発生帯域にシフトさせ、ガードバンドをヌルトーンに変更する場合、干渉回避実現時に要求される電力レベル以上に干渉帯域の電力レベルを減少させることができ、より確実な干渉回避を実現することができる。
【００８３】
以上で説明したように、本発明の超広帯域干渉回避動作によれば、従来の方法のようにインターリバー及びデインターリバーの再設計などの別途の端末機の再構成がなく、単にトーンマッピングをシフトする動作のみでも従来の方法よりも効率の高い干渉回避を実現することができる。
【００８４】
また、新たにＤＣタームとなるトーンのみをヌルトーンに変更することで、従来のように５個のトーンデータが損失するのではなく、１個のトーンデータのみが損失しても干渉回避を実現することができる。また、ＤＣタームのシフトによって損失する１個のトーンデータをガードバンドのトーンのうちのいずれか１つのトーンで複写する場合、データを損失せずに干渉回避を実現することができる。
【００８５】
また、指数関数信号のｍ値のみを相違して設定する動作のみで、ワイマックス信号だけでなく、２０ＭＨｚ程度の干渉区間を有するすべての無線通信網信号に対して干渉回避を実現することができ、適応型（ａｄａｐｔｉｖｅ）干渉回避技術を期待することができる。また、干渉区間を基準レベル以下に落とすために互いに相殺するようにガードバンドを構成することで、ワイメディアで要求される超広帯域な帯域幅を維持することができ、超広帯域スペック設定が容易である。また、干渉回避モードと一般モードを並列に設置して実現しても、負荷が大きく増加しない効果を期待することができる。
【００８６】
図１３は、本発明の一実施形態によるワイマックス信号に対する超広帯域信号の干渉回避方法の流れを示すフローチャートである。
【００８７】
本発明の一実施形態による超広帯域端末機は、所定のデータビットをトーンマッピングして超広帯域信号を生成する（ステップ１３１１）。超広帯域端末機は、超広帯域信号のマッピングされたトーンのうち、ガードバンドに含まれる１つ以上のトーンを調整する（ステップ１３１２）。
【００８８】
ステップ１３１２で、超広帯域端末機は、ガードバンドに含まれる１つ以上のトーンの符号をインバースさせることができる。例えば、超広帯域信号のガードバンドトーンのうちで５７番トーン、５９番トーン、６１番トーン、６７番トーン、６９番トーン、及び７１番トーンの符号をインバースさせることができる。また、ステップ１３１２で、超広帯域端末機は、ガードバンドに含まれる１つ以上のトーンをヌルトーンに変更することで、ガードバンドのトーンを調整することができる。
【００８９】
超広帯域端末機は、超広帯域信号のマッピングされたトーンのうち、ヌルトーンを含む第１帯域がワイマックス信号と干渉が発生する第２帯域にシフトされるように制御する（ステップ１３１３）。超広帯域端末機は、超広帯域信号に、指数関数信号
2010504021.tif 000008
を掛けて第１帯域を第２帯域にシフトさせることができる。ワイマックス信号との干渉回避を実現する場合、指数関数信号のｍは２５に設定することができる。
【００９０】
超広帯域端末機は、超広帯域信号のマッピングされたトーンのうち、シフトによってＤＣタームとなるトーンをヌルトーンに変更する（ステップ１３１４）。例えば、ワイマックス信号との干渉回避を実現する場合、シフトによってＤＣタームとなるトーンは、２５番トーンとすることができる。従って、超広帯域端末機は、シフトと共に２５番トーンをヌルトーンに変更することができる。
【００９１】
図１４は、本発明の他の実施形態による所定の無線通信網信号に対する超広帯域信号の干渉回避方法の流れを示すフローチャートである。
【００９２】
本発明の他の実施形態による超広帯域端末機は、所定のデータビットをトーンマッピングして超広帯域信号を生成する（ステップ１４１１）。超広帯域端末機は、超広帯域信号のマッピングされたトーンのうち、ガードバンドに含まれる１つ以上のトーンの符号をインバースさせるか、又は１つ以上のトーンをヌルトーンに変更してガードバンドのトーンを調整する（ステップ１４１２）。
【００９３】
超広帯域端末機は、超広帯域信号のマッピングされたトーンのうち、無線通信網信号と干渉が発生する１つ以上のトーンを含む第２帯域を認識する（ステップ１４１３）。
【００９４】
超広帯域端末機は、超広帯域信号のマッピングされたトーンのうち、ヌルトーンを含む第１帯域のトーンが第２帯域のトーンを含むようにシフトされるためのシフト値を演算する（ステップ１４１４）。
【００９５】
超広帯域端末機は、超広帯域信号のマッピングされたトーンのうち、シフトによってＤＣタームとなるトーンをヌルトーンに変更する（ステップ１４１５）。
【００９６】
超広帯域端末機は、演算したシフト値によって第１帯域が第２帯域にシフトされるように制御する（ステップ１４１６）。ステップ１４１６で、超広帯域端末機は、超広帯域信号に、指数関数信号
2010504021.tif 000009
を掛けて第１帯域を第２帯域にシフトさせることができる。指数関数信号において、ｍは演算されたシフト値に設定することができる。
【００９７】
図１３及び図１４を参照しながら本発明に係る超広帯域信号の干渉回避方法について簡単に説明したが、上述した超広帯域信号の干渉回避方法は、図１〜図１２を参照しながら説明した本発明に係る超広帯域端末機の超広帯域信号干渉回避動作をすべて含むように実現できることは、当業者にとって自明である。
【００９８】
なお、本発明に係る超広帯域信号の干渉回避方法は、コンピュータにより実現される多様な動作を実行するためのプログラム命令を含むコンピュータ読み取り可能な記録媒体を含む。当該記録媒体は、プログラム命令、データファイル、データ構造などを単独又は組み合わせて含むこともでき、記録媒体及びプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスク、及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光又は金属線、導波管などの送信媒体でもある。プログラム命令の例としては、コンパイラによって生成されるような機械語コードだけでなく、インタプリタなどを用いてコンピュータによって実行され得る高級言語コードを含む。上記ハードウェア要素は、本発明の動作を実行するために一以上のソフトウェアモジュールとして作動するように構成することができ、その逆もできる。
【００９９】
以上、本発明をいくつかの具体的な実施形態を示して説明したが、本発明は、上述の実施形態に限定されるものではない。該当する技術分野に精通した当業者にとっては、特許請求の範囲に記載された本発明の思想及び領域から逸脱しない範囲内で、本発明を多様に修正及び変更することができることを理解することができる。
【符号の説明】
【０１００】
１１０    トーンマッピングモジュール
１２０    干渉回避制御モジュール
１３０    シフト制御モジュール
２１０    コンボリューショナルコーダー
２２０    パンクチュアリング
２３０    インターリバー
２４０    トーンマッパー
２５０    逆高速フーリエ変換部
２６０    第１乗算器
２７０    第２乗算器
６１０    超広帯域送信端末機
６２０    超広帯域受信端末機
【図１】
2010504021.tif 000017
【図２】
2010504021.tif 000018
【図３】
2010504021.tif 000019
【図４】
2010504021.tif 000020
【図５】
2010504021.tif 000021
【図６】
2010504021.tif 000022
【図７】
2010504021.tif 000023
【図８】
2010504021.tif 000024
2010504021.tif 000025
【図９】
2010504021.tif 000026
【図１０】
2010504021.tif 000027
【図１１】
2010504021.tif 000028
【図１２】
2010504021.tif 000029
【図１３】
2010504021.tif 000030
【図１４】
2010504021.tif 000031
【国際調査報告】
2010504021.tif 000032
2010504021.tif 000033